(57)【要約】【課題】十分な伸びを確保でき、内側芯線及び外側芯線の伸び動作に一体感を付与することができ、部品点数を少なくでき、組み付けが容易な芯線を提供する。【解決手段】波形状に形成されると共に波形状に復元可能な弾性を有した伸縮可能な金属細線からなる内側芯線２と、金属細線を螺旋状に巻いたコイル形状に形成されて内側芯線２が挿入され内側芯線２の伸縮と共に伸縮する外側芯線３と、からなる二重構造となっている。内側芯線２の両端部及び外側芯線３の両端部がそれぞれ結合されている。【選択図】図３
2020065759.tif 000002
【特許請求の範囲】
【請求項１】
波形状に形成されると共に波形状に復元可能な弾性を有した伸縮可能な金属細線からなる内側芯線と、金属細線を螺旋状に巻いたコイル形状に形成されて前記内側芯線が挿入され前記内側芯線の伸縮と共に伸縮する外側芯線と、からなる二重構造となっており、
前記内側芯線の両端部及び外側芯線の両端部がそれぞれ結合されていることを特徴とする芯線。
【請求項２】
金属細線からなる環状体が複数連鎖されたチェーン形状となっており、長さ方向に伸縮可能な内側芯線と、金属細線を螺旋状に巻いたコイル形状に形成されて前記内側芯線が挿入され前記内側芯線の伸縮と共に伸縮する外側芯線と、からなる二重構造となっており、
前記内側芯線の両端部及び外側芯線の両端部がそれぞれ結合されていることを特徴とする芯線。
【請求項３】
全体が単巻きのリング形状に形成されており、前記内側芯線及び外側芯線の伸縮動作に伴ってリング形状の径が拡縮動作することを特徴とする請求項１又は２に記載の芯線。
【請求項４】
前記外側芯線の金属細線が形状記憶合金によって形成され、身体部位に巻き付け可能なリング形状となる形状が前記外側芯線に記憶されていることを特徴とする請求項１乃至３のいずれか１項に記載の芯線。
【請求項５】
請求項１乃至４のいずれか１項に記載の芯線と、
前記芯線が貫通する貫通孔が形成され、前記芯線に沿って連ねられる複数の珠部材と、を備えていることを特徴とする装身具。
【発明の詳細な説明】
【技術分野】
【０００１】
本発明は、ブレスレット、ネックレスやアンクレット等に用いるための芯線及びこの芯線を用いた装身具に関する。
【背景技術】
【０００２】
ブレスレット、ネックレス等の装身具は、真珠、宝石等からなる珠部材を芯線によって複数連ねることにより形成されている。リング体となっている装身具においては、全体を伸ばして径を大きくしてから身体部位へ着用される。このことは手首や足首に巻いて着用するブレスレットやアンクレットにおいては、特に必要である。このため、珠部材を連ねる芯線として合成繊維糸、ゴム糸等の伸び縮みが可能な材料を用いられるが、この場合は、芯線が切れ易いため耐久性に劣る欠点がある。耐久性を向上させるためには、芯線として切れにくい金属製芯線を用いることが従来よりなされている。
【０００３】
特許文献１には、形状記憶合金製のワイヤを螺旋状に巻いた外側コイル（以下、外側芯線）と、この外側コイルの中に挿入した形状記憶合金製の直線状の内側ワイヤ（以下、内側芯線）とによって芯線を形成する２重構造が開示されている。このような芯線では、全体が金属によって形成されるため、切れにくいメリットがある。そして、この２重構造の芯線を珠部材に通して装身具としている。
【０００４】
しかしながら、内側芯線が金属ワイヤによって形成されているため、内側芯線自体は伸びることがなく、芯線全体で伸びが可能なしなやかさを有していない。このため、特許文献１では、内側芯線の外径を外側芯線の内径よりも小さくしてこれらを移動可能とすると共に、内側芯線の両端部に加締め部材を結合し、さらに加締め部材を軸方向に付勢する小さなコイルばねを設けている。このような構造では、コイルばねが伸縮することにより加締め部材と内側芯線が移動するため、ある程度のしなやかさを芯線に付与している。
【先行技術文献】
【特許文献】
【０００５】
【特許文献１】特開２００５−２２４４１３号公報
【発明の概要】
【発明が解決しようとする課題】
【０００６】
しかしながら、特許文献１の構造では、コイルばねを付加し、付加したコイルばねの伸縮量だけ内側芯線が移動するものであるから内側芯線の移動量が小さく限定され、芯線全体の伸び（しなやかさ）を大きくすることができない。このため、特許文献１の構造では、芯線をある程度曲げることができても、十分な伸びを確保できない問題がある。例えば、特許文献１の構造では、２０ｃｍの長さをさらに５ｃｍ伸ばすことはできない。従って芯線を単巻きのリング形状とした場合、そのリング径を十分に拡径させることができない。このため、手首や足首に着用する際に拡径操作を必要とするブレスレットやアンクレットには適用できない不便さがある。
又、特許文献１の構造では、伸びに対応して内側芯線が若干移動するだけであり、内側芯線と外側芯線との動きが同期することなく、これらの芯線の動きが芯線の伸び動作がチグハグとなって違和感を生じる問題がある。
さらに、加締め部材及びコイルばねを必須としており、部品点数が多く、組み付けが複雑且つ面倒であり、さらには、これらの部品が小さく壊れ易い問題も有している。
【０００７】
本発明は、以上の問題点を考慮してなされたものであり、内側芯線及び外側芯線に金属を用いて切れることを防止した構造においても、十分な伸びを確保でき、内側芯線及び外側芯線の伸び動作に一体感を付与することができ、部品点数を少なくでき、組み付けが容易な芯線及びこの芯線を用いた装身具を提供することを目的とする。
【課題を解決するための手段】
【０００８】
本発明の芯線は、波形状に形成されると共に波形状に復元可能な弾性を有した伸縮可能な金属細線からなる内側芯線と、金属細線を螺旋状に巻いたコイル形状に形成されて前記内側芯線が挿入され前記内側芯線の伸縮と共に伸縮する外側芯線と、からなる二重構造となっており、前記内側芯線の両端部及び外側芯線の両端部がそれぞれ結合されていることを特徴とする。
【０００９】
又、本発明の芯線は、金属細線からなる環状体が複数連鎖されたチェーン形状に形成され長さ方向に伸縮可能な内側芯線と、金属細線を螺旋状に巻いたコイル形状に形成されて前記内側芯線が挿入され前記内側芯線の伸縮と共に伸縮する外側芯線と、からなる二重構造となっており、前記内側芯線の両端部及び外側芯線の両端部がそれぞれ結合されていることを特徴とする。
【００１０】
この場合、全体が単巻きのリング形状に形成されており、前記内側芯線及び外側芯線の伸縮動作に伴ってリング形状の径が拡縮動作することを特徴とする。
又、前記外側芯線の金属細線が形状記憶合金によって形成され、身体部位に巻き付け可能なリング形状となる形状が前記外側芯線に記憶されていることを特徴とする。
【００１１】
本発明の装身具は、以上の芯線と、前記芯線が貫通する貫通孔が形成され、前記芯線に沿って連ねられる複数の珠部材と、を備えていることを特徴とする。
【発明の効果】
【００１２】
本発明によれば、内側芯線及び外側芯線が金属によって形成されるため、芯線の切れを防止することができる。又、内側芯線が伸縮可能となっていることにより内側芯線が伸びるため、芯線全体で十分な伸びを確保でき、しかも内側芯線及び外側芯線の伸び動作に一体感を付与することができ、部品点数を少なくでき、組み付けが容易となる。
【図面の簡単な説明】
【００１３】
【図１】本発明の第１実施形態の芯線を示す正面図及び部分拡大断面図である。
【図２】第１実施形態における内側芯線の伸縮動作を示す正面図である。
【図３】第１実施形態の芯線の結合状態を示す正面図である。
【図４】芯線の伸縮動作を示す正面図である。
【図５】装身具を示す断面図である。
【図６】装身具のリング径の拡縮動作を示す正面図である。
【図７】本発明の第２実施形態の芯線を示す斜視図である。
【図８】（Ａ）及び（Ｂ）は第２実施形態の内側芯線の伸縮動作を示す正面図である。
【図９】第２実施形態の芯線を用いた装身具の断面図及び内部の部分拡大断面図である。
【発明を実施するための形態】
【００１４】
以下、図面を参照して本発明の実施形態を説明する。なお、各実施形態において、同一の部材には同一の符号を付して対応させてある。
【００１５】
［第１実施形態］
図１〜図４は本発明の第１実施形態の芯線１を示し、図５及び図６は芯線１を用いた装身具４を示す。この実施形態の装身具４は、ブレスレット又はアンクレットに適用した形態であり、図６に示すように複数の珠部材５が芯線１によって沿って連ねられて単巻きのリング形状に形成されている。
図１に示すように、芯線１は内側芯線２と外側芯線３とからなり、外側芯線３の内部に内側芯線２が挿入された二重構造となっている。内側芯線２及び外側芯線３はいずれも金属が使用されており、これにより芯線１が切れることが防止されている。
【００１６】
内側芯線２は金属細線６からなり、図１及び図２に示すように、この金属細線６を波形状とすることにより形成されている。金属細線６としては、０．１〜０．７ｍｍ程度の細い金属線が用いられる。内側芯線２の波形状は規則的な波状であっても良く、不規則な波状であっても良い。
【００１７】
内側芯線２は波形状から伸ばされても元の波形状に復元可能な弾性を有する金属材料が使用される。このように復元可能な弾性を有することにより内側芯線２は伸びても元に戻るため、伸縮が可能となっている（図２参照）。かかる内側芯線２の金属細線６としては、ＳＵＳ３１６、ＳＵＳ３０４等のステンレス材料やばね材料を用いることができる。ステンレスを用いた場合には、錆の発生も防止することができる。
【００１８】
外側芯線３は金属細線７を螺旋状に巻いたコイル形状に形成されたチューブとなっており、全体が長さ方向に伸縮可能となっている。外側芯線３のコイル径は波形状の内側芯線２が挿入可能となるように設定されており、外側芯線３のコイル内に内側芯線２が挿入される（図１及び図３参照）。外側芯線３の金属細線７としては、線径が０．２〜０．４ｍｍ程度の太さの線材を用いることができ、コイル径としては、１．０〜１．５ｍｍ程度とすることができる。
【００１９】
以上の二重構造の芯線１において、内側芯線２の両端部２ａ、２ｂ及び外側芯線３の両端部３ａ、３ｂはそれぞれ結合される。すなわち図３に示すように、内側芯線２においては、波形状の状態で両端部２ａ、２ｂが重ね合わせるか突き合わせ、これらの両端部２ａ、２ｂをレーザ溶接、半田付け、接着等することにより結合する。この両端部２ａ、２ｂの結合により、内側芯線２は単巻きのリング形状となる。
外側芯線３も同様であり、コイルの両端部３ａ、３ｂを重ね合わせるか突き合わせてこれらの両端部３ａ、３ｂをレーザ溶接、半田付け、接着等することにより結合する。この結合により、外側芯線３も単巻きのリング形状となる。
なお、以上の内側芯線２の両端部２ａ、２ｂ及び外側芯線３の両端部３ａ、３ｂの結合では、これらの芯線２及び３の両端部を別々に結合しているが、これらをひとまとめにして結合することも可能である。
【００２０】
以上により二重構造の芯線１の全体が単巻きのリング形状となる。そして、内側芯線２が伸縮可能であると共に外側芯線３が伸縮可能となっているため、これらの伸縮によってリング形状の径を拡縮させることができる。
図４は芯線１の伸縮前後の動作を示す。（Ａ）は伸ばす前の状態であり、例えば、Ｌ１を２０ｃｍとし、伸ばしたときの伸びＬ３を５ｃｍとすることにより全体Ｌ２で２５ｃｍの長さとすることができる。この伸びＬ３によってリング形状の径を大きくすることができるため（図６参照）、手首や足首等の身体部位への着用を容易に行うことができる。
【００２１】
このように内側芯線２及び外側芯線３が共に伸びるため、芯線１の十分な伸びを確保できると共に芯線１の全体をスムーズに伸ばすことができ、しかも一体感のある伸ばし動作が可能となる。
【００２２】
図５及び図６は単巻きのリング形状に成形されたブレスレット等の装身具４を示す。装身具４の珠部材５としては、真珠、宝玉等を用いることができる。図５に示すように、それぞれの珠部材５には、貫通孔８が形成されており、この貫通孔８内に二重構造の芯線１を貫通させることにより複数の珠部材５が連ねられた単巻きリング形状の装身具４となる。装身具４においては、芯線１が伸縮可能となっているため、リング形状が拡縮する図６の着用時の実線状態と取り付け取り外し時の破線状態とを容易に繰り返すことができ、装身具４の着用を容易に行うことができる。かかる装身具４の拡縮においても、内側芯線２及び外側芯線３が共に金属によって形成されているため、芯線１が切れることがなくなる。
【００２３】
［第２実施形態］
図７〜図９は、本発明の第２実施形態を示す。この実施形態の芯線１Ａにおいても、内側芯線１０が外側芯線３の内部に挿入されることにより二重構造となっている。又、内側芯線１０及び外側芯線３においても共に金属細線が使用されており、これにより芯線１Ａが切れることが防止されている。
【００２４】
この実施形態において、外側芯線３は第１実施形態と同様に金属細線７を螺旋状に巻いたコイル形状に形成されており、全体が長さ方向に伸縮可能となっている。金属細線７としては、線径が０．２〜０．４ｍｍ程度の太さ、コイル径としては１．３〜１．７ｍｍ程度とすることができる。
【００２５】
この実施形態の内側芯線１０は、複数の環状体１１を連鎖したチェーン形状に形成されている。図７及び図８に示すように、それぞれの環状体１１は幾分横長の閉鎖リングとなった平行輪によって形成されており、両端部が隣接した環状体１１に入り込むことにより隣接した環状体１１と相互に連結されている。隣接した環状体１１においては、相手の環状体１１との間に隙間（遊び）を有した状態（図８（Ａ）参照）と、相手の環状体１１と当接する状態（図８（Ｂ）参照）との間で変位可能となっており、環状体１１のそれぞれは相手の環状体１１と当接するまで移動可能となっている。これにより内側芯線１０の全体が伸縮可能となっている。
【００２６】
環状体１１は金属細線１２を閉鎖状の平行輪形状とすることにより成形される。金属細線１２の材料としては、０．１ｍｍ程度の細い金属線を用いることができる。又、環状体１１としては、横方向長さが０．５〜０．７ｍｍ程度の大きさの平行輪となっている。この場合、環状体１１としては、平行輪に限ることなく、楕円形輪、矩形輪や円形輪とすることができる。
【００２７】
内側芯線１０及び外側芯線３はその両端部をそれぞれレーザ溶接、半田付け、接着等によって結合することにより、内側芯線１０及び外側芯線３を共にリング形状とする。これにより二重構造の芯線１Ａの全体が単巻きのリング形状となる。このリング形状においては、内側芯線１０及び外側芯線３が伸縮可能となっているため、二重構造の芯線１Ａの全体が伸縮する。このため、リング形状の径の拡縮を行なうことができ、身体部位への着用及び取り外しを円滑に行うことができる。
【００２８】
図９は、この実施形態の芯線１Ａを用いた装身具４Ａを示す。珠部材５に貫通孔８を形成し、この貫通孔８に二重構造の芯線１Ａを挿通させることにより珠部材５が連ねられた装身具４Ａを作成することができる。
【００２９】
この実施形態では、内側芯線１０がチェーン形状に形成されているため、内側芯線１０が大きく伸びることができ、芯線１Ａ全体の伸び量を大きくすることができる。例えば、芯線１Ａを２０ｃｍとしたとき、さらに５ｃｍ程度伸ばすことができる。このため、内側芯線１０の移動を行うためのコイルばねや加締め部材が不要となり、部品点数を削減でき、組み付けも容易となる。
【００３０】
以上の第１実施形態及び第２実施形態においては、外側芯線３の金属細線７として、形状記憶合金を使用することができる。形状記憶合金としては、例えば、Ｔｉ‐Ｎｉ合金、Ｔｉ−Ｎｉ−Ｃｏ合金などのマルテンサイト変態を呈する合金を用いることができる。形状記憶合金からなる外側芯線３は手首等の身体部位に巻き付け可能なリング形状となるように形状記憶されている。このようにリング形状となるように形状記憶されることにより、芯線１、１Ａの全体もリング形状となる。従って、芯線１、１Ａによって複数の珠部材５が連ねられた装身具４、４Ａの全体も図６に示すようにリング形状を保持することができる。
このような装身具４、４Ａにおいては、着用前に拡径しても外力を解放することにより自動的に縮径して単巻きのリング形状に復帰する。このため手首等の身体部位への着用を容易に行うことができる。
【符号の説明】
【００３１】
１  １Ａ  芯線
２  １０  内側芯線
３  外側芯線
４  ４Ａ  装身具
５  珠部材
８  貫通孔
【図１】
2020065759.tif 000003
【図２】
2020065759.tif 000004
【図３】
2020065759.tif 000005
【図４】
2020065759.tif 000006
【図５】
2020065759.tif 000007
【図６】
2020065759.tif 000008
【図７】
2020065759.tif 000009
【図８】
2020065759.tif 000010
【図９】
2020065759.tif 000011
【手続補正書】
【提出日】令和2年2月4日(2020.2.4)
【手続補正１】
【補正対象書類名】特許請求の範囲
【補正対象項目名】全文
【補正方法】変更
【補正の内容】
【特許請求の範囲】
【請求項１】
波形状に形成されると共に波形状に復元可能な弾性を有した伸縮可能な金属細線からなる内側芯線と、金属細線を螺旋状に巻いたコイル形状に形成されて前記内側芯線が挿入され前記内側芯線の伸縮と共に伸縮する外側芯線と、からなる二重構造となっており、
前記内側芯線の両端部及び外側芯線の両端部が、重ね合わせられかつひとまとめにして、溶接により結合され、全体がリング状に形成されていることを特徴とする芯線。
【請求項２】
金属細線からなる環状体が複数連鎖されたチェーン形状となっており、長さ方向に伸縮可能な内側芯線と、金属細線を螺旋状に巻いたコイル形状に形成されて前記内側芯線が挿入され前記内側芯線の伸縮と共に伸縮する外側芯線と、からなる二重構造となっており、
前記外側芯線の両端部が重ね合わせられて、溶接により結合されてリング状となり、前記内側芯線は両端部の環状体が相互に係合することによりリング状となることにより、全体がリング状に形成されていることを特徴とする芯線。
【請求項３】
全体が単巻きのリング形状に形成されており、前記内側芯線及び外側芯線の伸縮動作に伴ってリング形状の径が拡縮動作することを特徴とする請求項１又は２に記載の芯線。
【請求項４】
前記外側芯線の金属細線が形状記憶合金によって形成され、身体部位に巻き付け可能なリング形状となる形状が前記外側芯線に記憶されていることを特徴とする請求項１乃至３のいずれか１項に記載の芯線。
【請求項５】
請求項１乃至４のいずれか１項に記載の芯線と、
前記芯線が貫通する貫通孔が形成され、前記芯線に沿って連ねられる複数の珠部材と、を備えていることを特徴とする装身具。
【手続補正２】
【補正対象書類名】明細書
【補正対象項目名】０００８
【補正方法】変更
【補正の内容】
【０００８】
本発明の芯線は、波形状に形成されると共に波形状に復元可能な弾性を有した伸縮可能な金属細線からなる内側芯線と、金属細線を螺旋状に巻いたコイル形状に形成されて前記内側芯線が挿入され前記内側芯線の伸縮と共に伸縮する外側芯線と、からなる二重構造となっており、前記内側芯線の両端部及び外側芯線の両端部が、重ね合わせられかつひとまとめにして、溶接により結合され、全体がリング状に形成されていることを特徴とする。
【手続補正３】
【補正対象書類名】明細書
【補正対象項目名】０００９
【補正方法】変更
【補正の内容】
【０００９】
又、本発明の他の芯線は、金属細線からなる環状体が複数連鎖されたチェーン形状となっており、長さ方向に伸縮可能な内側芯線と、金属細線を螺旋状に巻いたコイル形状に形成されて前記内側芯線が挿入され前記内側芯線の伸縮と共に伸縮する外側芯線と、からなる二重構造となっており、前記外側芯線の両端部が重ね合わせられて、溶接により結合されてリング状となり、前記内側芯線は両端部の環状体が相互に係合することによりリング状となることにより、全体がリング状に形成されていることを特徴とする。